(57)【要約】【課題】  カメラで撮影した画像を複数の相手に配布したいことは、よくある。たとえば、運動会や遠足など子供のイベントやグループ旅行の写真などを撮影した場合である。しかし、撮影した画像を選択しプリントにだしたり、ＣＤＲＯＭを焼いたり、サーバーにアップしたりすることは、非常に手間がかかっていた。  撮影した画像をあらかじめ設定した配布先に即時送信できれば、利便さが向上するが、運動会や遠足や旅行が終了したあとで、配信先の解除をわすれると自宅で撮影したプライベートな画像も自動配信されてしまうことが問題であった。【解決手段】  配布先・元登録時に配信・受信期限を入力し、期限を越えた画像の配信・受信を阻止することで、不用意な画像の配信・受信をおこなわないことが可能になった。【選択図】  図１
2006246023.tif 000002
【特許請求の範囲】
【請求項１】
被写体の撮影手段と通信手段と画像や情報を記憶する記憶手段と画像の送信先のカメラやサーバーのアドレスやＩＤやパスワード等を入力し記憶手段に保存する送信先情報入力手段を持ち、被写体の撮影時に、撮影した画像を記憶手段に保存されている送信先のカメラやサーバーに通信手段を介して配信する配信手段を持つことを特徴とするカメラ。
【請求項２】
写体の撮影手段と通信手段と画像や情報を記憶する記憶手段と画像の送信先のカメラやサーバーのアドレスやＩＤやパスワードや送信期限等を入力し記憶手段に保存する送信先情報入力手段を持ち、被写体の撮影時に、撮影された時刻が送信期限より前だった時のみ、撮影した画像を記憶手段に保存されている送信先のカメラやサーバーに通信手段を介して配信する配信手段を持つことを特徴とするカメラ。
【請求項３】
被写体の撮影手段と通信手段と画像や情報を記憶する記憶手段と画像の送信先のカメラやサーバーのアドレスやＩＤやパスワードや送信期限等を入力し記憶手段に保存する送信先情報入力手段を持ち、被写体の撮影時に、撮影された時刻が送信期限より前だった時のみ、撮影した画像を記憶手段に保存されている送信先のカメラやサーバーに通信手段を介して配信することを特徴とする請求項２のカメラにおいて、送信時送信路が確保できない場合、画像と送信先情報を記憶手段に記録し、送信路が確保できた時点で送信期限にかかわらず画像を送信する配信手段を持つことを特徴とする。
【請求項４】
通信手段と画像や情報を記憶する記憶手段と画像の送信元のカメラのアドレスやＩＤやパスワード等を入力し記憶手段に保存する送信元情報入力手段を持ち、送信元のカメラから送られてきたＩＤやパスワードを判定し送信元情報が一致したときのみ受信した画像を記憶手段に保存する保存手段を持つことを特徴とするカメラ。
【請求項５】
通信手段と画像や情報を記憶する記憶手段と画像の送信元のカメラのアドレスやＩＤやパスワードや送信期限等を入力し記憶手段に保存する送信元情報入力手段を持ち、送信元のカメラから送られてきたＩＤやパスワードを判定し送信元情報が一致し、かつ送信された画像の撮影時刻が送信期限以前だった場合のみ受信した画像を記憶手段に保存する保存手段を持つことを特徴とするカメラ。
【請求項６】
被写体の撮影手段と通信手段と画像や情報を記憶する記憶手段と画像の送信先・送信元のカメラのアドレスやＩＤやパスワードや送信期限等を入力し記憶手段に保存する送信先・送信元情報入力手段を持ち、被写体の撮影時に、撮影された時刻が送信期限より前だった時のみ、撮影した画像を記憶手段に保存されている送信先のカメラに通信手段を介して配信する配信手段を持ち、送信元のカメラから送られてきたＩＤやパスワードを判定し送信元情報が一致し、かつ送信された画像の撮影時刻が送信期限以前だった場合のみ受信した画像を記憶手段に保存することことを特徴とするカメラ。
【発明の詳細な説明】
【技術分野】
【０００１】
本発明は、画像を撮影するデジタルカメラに関する。特に、撮影した画像をインターネットを介して配信する機能を持つデジタルカメラに関するものである。
【背景技術】
【０００２】
従来、画像が形成された時に、その画像をネットワークを介してあらかじめ設定された送信先に配信することは、広くおこなわれている（たとえば特許文献１参照）、またカメラで撮影時に他のカメラに画像配信することも提案されている。（たとえば特許文献２参照）
さらにプライベート画像を配信しないため、送信時間帯に制限を掛ける提案もされている。（たとえば特許文献３参照）
【特許文献１】特許第３４６５６９６号公報第８頁図９
【特許文献２】特開２００３−１０１８３９号公報
【特許文献３】特開平７−３０８７１号公報第７頁図３
【発明の開示】
【発明が解決しようとする課題】
【０００３】
カメラで撮影した画像を複数の相手に配布したいことは、よくあった。たとえば、運動会や遠足など子供のイベントやグループ旅行の写真などを撮影した場合である。
【０００４】
従来銀塩フィルムの場合、撮影したフィルムを現像し、配布したい画像を選択し、焼き増しをラボに依頼して、焼き増しされた写真を直接配布していた。カメラがデジタルになると、ＣＤＲＯＭに焼いて配布したり、サーバーに画像をアップして、各自ダウンロードさせたりといったことが行われている。しかし、撮影した画像を選択しプリントにだしたり、ＣＤＲＯＭを焼いたり、サーバーにアップしたりすることは、非常に手間がかかっていた。
【０００５】
近年、ホットスポットのように無線ＬＡＮなどを通してインターネットに常時接続できる環境が整備されてきた。これを利用して、撮影した画像をあらかじめ設定した配布先に即時送信できれば、利便さが向上する。たとえば、運動会や遠足や旅行などの時に、それぞれのカメラで撮影した画像が、その場でお互いに即時配信されれば、撮影の楽しさもより増えることになる。
【０００６】
しかしその反面、運動会や遠足や旅行が終了したあとで、配信先の解除をわすれると自宅で撮影したプライベートな画像も自動配信されてしまう問題が考えられる。
【０００７】
特許文献３では、ＴＶ電話でプライベート画像を送信しないよう時間帯に制限をかけるものが提案されているが、時間帯外で撮影されたプライベートな画像が配信されてしまうのはかわりが無い。
【課題を解決するための手段】
【０００８】
上述の目的を達成するために、請求項１記載のデジタルスチルカメラは、被写体の撮影手段と通信手段と画像や情報を記憶する記憶手段と画像の送信先のカメラやサーバーのアドレスやＩＤやパスワード等を入力し記憶手段に保存する送信先情報入力手段を持ち、被写体の撮影時に、撮影した画像を記憶手段に保存されている送信先のカメラやサーバーに通信手段を介して配信することを特徴とする。
【０００９】
上述の目的を達成するために、請求項２記載のデジタルスチルカメラは、被写体の撮影手段と通信手段と画像や情報を記憶する記憶手段と画像の送信先のカメラやサーバーのアドレスやＩＤやパスワードや送信期限等を入力し記憶手段に保存する送信先情報入力手段を持ち、被写体の撮影時に、撮影された時刻が送信期限より前だった時のみ、撮影した画像を記憶手段に保存されている送信先のカメラやサーバーに通信手段を介して配信することを特徴とする。
【００１０】
上述の目的を達成するために、請求項３記載のデジタルスチルカメラは、被写体の撮影手段と通信手段と画像や情報を記憶する記憶手段と画像の送信先のカメラやサーバーのアドレスやＩＤやパスワードや送信期限等を入力し記憶手段に保存する送信先情報入力手段を持ち、被写体の撮影時に、撮影された時刻が送信期限より前だった時のみ、撮影した画像を記憶手段に保存されている送信先のカメラやサーバーに通信手段を介して配信することを特徴とする請求項２のカメラにおいて、送信時送信路が確保できない場合、画像と送信先情報を記憶手段に記録し、送信路が確保できた時点で送信期限にかかわらず画像を送信することを特徴とする。
【００１１】
上述の目的を達成するために、請求項４記載のデジタルスチルカメラは、通信手段と画像や情報を記憶する記憶手段と画像の送信元のカメラのアドレスやＩＤやパスワード等を入力し記憶手段に保存する送信元情報入力手段を持ち、送信元のカメラから送られてきたＩＤやパスワードを判定し送信元情報が一致したときのみ受信した画像を記憶手段に保存することを特徴とする。
【００１２】
上述の目的を達成するために、請求項５記載のデジタルスチルカメラは、通信手段と画像や情報を記憶する記憶手段と画像の送信元のカメラのアドレスやＩＤやパスワードや送信期限等を入力し記憶手段に保存する送信元情報入力手段を持ち、送信元のカメラから送られてきたＩＤやパスワードを判定し送信元情報が一致し、かつ送信された画像の撮影時刻が送信期限以前だった場合のみ受信した画像を記憶手段に保存することを特徴とする。
【００１３】
上述の目的を達成するために、請求項６記載のデジタルスチルカメラは、被写体の撮影手段と通信手段と画像や情報を記憶する記憶手段と画像の送信先・送信元のカメラのアドレスやＩＤやパスワードや送信期限等を入力し記憶手段に保存する送信先・送信元情報入力手段を持ち、被写体の撮影時に、撮影された時刻が送信期限より前だった時のみ、撮影した画像を記憶手段に保存されている送信先のカメラに通信手段を介して配信し、送信元のカメラから送られてきたＩＤやパスワードを判定し送信元情報が一致し、かつ送信された画像の撮影時刻が送信期限以前だった場合のみ受信した画像を記憶手段に保存することを特徴とする。
【発明の効果】
【００１４】
上記請求項１の特徴によれば、指定した送信先に撮影した画像を自動配信することが可能になる。
【００１５】
上記請求項２の特徴によれば、指定した送信先に撮影した画像を自動配信するときに、配信期限を設けることで、不用意にプライベート画像を配信してしまうことを防止することができる。
【００１６】
上記請求項３の特徴によれば、指定した送信先に撮影した画像を自動配信するときに、配信期限を設けることで、不用意にプライベート画像を配信してしまうことを防止することができ、かつ配信期限内に撮影した画像は、配信期限がすぎても、配信をすることが可能になる。
【００１７】
上記請求項４の特徴によれば、指定した送信元からのみ撮影した画像を自動配信を受けることが可能になった。
【００１８】
上記請求項５の特徴によれば、指定した送信元からのみ撮影した画像を自動配信を受ける時に、配信期限を設けることで、配信期限を越えて撮影されたプライベート画像の受信を防止することが可能になった。
【００１９】
上記請求項６の特徴によれば、指定した送信先に撮影した画像を自動配信するときに、配信期限を設けることで、不用意にプライベート画像を配信してしまうことを防止することができ、かつ配信期限内に撮影した画像は、配信期限がすぎても、配信をすることが可能になり、指定した送信元からのみ撮影した画像を自動配信を受ける時に、配信期限を設けることで、配信期限を越えて撮影されたプライベート画像の受信を防止することが可能になった。
【発明を実施するための最良の形態】
【００２０】
（実施例１）
図１は、カメラの接続状態を表す概念図であり１は送信側カメラ、２は受信側カメラ、３は画像サーバー、４はインターネット網である。
【００２１】
カメラ１で撮影した画像が無線ＬＡＮやイーサネット（登録商標）などを介してインターネット網に接続されカメラ２や画像サーバー３に画像が送信される。また逆にカメラ２から他のカメラに画像送信することも可能である。
【００２２】
図２は、本発明のカメラの構成をあらわす回路図であり、５は撮影レンズ、６はＣＣＤ、７はＡＤコンバータ、８は画像処理システム、９は画像や情報のデータが転送されるバス、１０はカメラの制御を司るＣＰＵ、１１は入力手段でありカメラに配置されるボタンなどからの入力をＣＰＵに伝達する。ここではメニューボタン、削除ボタン、設定ボタン、上下左右の方向をしめす十字ボタンがあるものとして説明する。１２はＴＦＴなどの表示手段、１３は画像やデータを蓄えるメモリ、１４は無線ＬＡＮなどを介してインターネット網に接続する通信デバイスである。
【００２３】
まず、送信先の設定を図３の表示画面の遷移図を用いて説明する。
【００２４】
カメラのメニューボタンを押すと入力手段１１からＣＰＵ１０に伝達され表示手段１２に画面１５が表示される。これは通常のデジカメでは公知の設定画面であるが、その中に画像交換設定の項目がある。上下キーでカーソルをうごかし画像交換設定を選択、セットボタンを押すと画面１６に遷移する。画面１６では送信先を表示するがここでは、設定された送信先がないのでＮＥＷ．．．だけが表示されカーソルが設定されている。
【００２５】
セットボタンを押すと、画面１７が表示される。送信先名称、アドレス、パスワード、送信期限の設定の枠が表示される。ここで入力手段１１よりそれぞれ公知のアルファベット選択による文字入力がおこなわれ、画面１８のような状態になる。ここでは送信先名称：Ｊｏｈｎ、送信先アドレス：ｆｔｐ：／／ｆｔｐ．ｘｘｘ．ｃｏ．ｊｐ、パスワード；ｓｗａｌｌｏｗ、送信期限：２００３／１１／２５  １１：２５が設定されたとする。
【００２６】
ここでメニューボタンを押すと画面１９に戻る。画面１９ではすでに画面１８の操作を繰り返し複数の送信先、Ｊｈｏｎ、Ｓｕｓａｎ、Ｔｉｔｔｙ、Ｒｏｇｅｒが設定されたことになっている。このように同時に複数の送信先の情報が入力することができる。
【００２７】
この結果、メモリ１３には図４のような、構造体リストが生成される。ポインタＳｅｎｄＬｉｓｔの指し示す先に構造体ＬｉｓｔＩｔｅｍがあり、次の構造体へのポインタＮｅｘｔｐ、送信先名称Ｎａｍｅ：Ｊｏｈｎ、送信先アドレスａｄｄｒｅｓｓ：ｆｔｐ：／／ｆｔｐ．ｘｘｘ．ｃｏ．ｊｐ、パスワードｐａｓｓｗｏｒｄ：ｓｗａｌｌｏｗ、送信期限Ｌｉｍｉｔｔｉｍｅ：２００３／１１／２５  １１：２５が格納される。次にＳｕｓａｎ、Ｔｉｔｔｙ、Ｒｏｇｅｒの構造体がリンクされ、最後のＲｏｇｅｒで次の構造体へのリンクがＮＵＬＬになって終端される。
【００２８】
次に撮影時の作動について図５のフローチャートを用いて説明する。
（１００）レリーズ
撮影者が被写体にカメラを向けレリーズを押し込むと、（１００）から制御が開始される。
（１０１）撮影では、被写体の像がレンズ５からＣＣＤ６に結像しアナログ信号として出力される。ＡＤコンバータ７がアナログ信号をデジタルに変換し、画像処理システム８に送る。画像処理システム８は、ベイヤー配列のＣＣＤのＲＧＢ情報から補間処理をおこないゲインやＷＢ、色合いを調整してＪＰＧ画像に圧縮する。
（１０２）ｊｐｇファイルをメモリに保存
作成されたｊｐｇ画像を名前やｅｘｉｆ情報などをつけてメモリ１２に保存する。
（１０３）ポインタｐに送信先リストＳｅｎｄＬｉｓｔの値を入れる。
（１０４）ポインタｐがＮＵＬＬだったら送信先がないので終了する。
（１０５）現在時とｐ−＞Ｌｉｍｉｔｔｉｍｅを比較し現在時が送信期限を越えていなければ（１０６）へ、越えていれば何もしないで（１０８）へ。
（１０６）送信キューＳｅｎｄｑｕｅに新しい構造体ＱｕｅＩｔｅｍを追加する。構造体ＱｕｅＩｔｅｍは次の構造体へのポインタＮｅｘｔｑ、送信先名称Ｎａｍｅ、パスワードＰａｓｓｗｏｒｄ、ファイル名ＦｉｌｅＮａｍｅを構成要素としている。
（１０７）次のリスト構造体ＬｉｓｔＩｔｅｍのアドレスをポインタｐに入れる。
（１０８）ポインタｐがＮＵＬＬでなかったら、（１０５）へ戻って次の送信先リストを調べる。ＮＵＬＬだったらＬｉｓｔＩｔｅｍをすべて調べたので終了して（１１０）へ。
【００２９】
このようにして、送信期限内の送信先にたいしては、それぞれ、構造体ＱｕｅＩｔｅｍを生成した。また送信期限を過ぎた送信先は構造体が作成されないので生成されない。２００３／１１／２０に撮影された画像ＤＳＣ００１０．ｊｐｇは、送信先Ｊｏｈｎ、Ｓｕｓａｎ、Ｒｏｇｅｒに対してはＱｕｅＩｔｅｍを作成するが、Ｔｉｔｔｙにたいしては送信期限が過ぎているのでＱｕｅＩｔｅｍを作成しない。このようにして作成されたＳｅｎｄＱｕｅの状態を図４に示した。
（１０９）送信処理をおこない終了する。
【００３０】
送信処理の詳細は図７のフローチャートで説明する。
（２００）送信処理モジュールが呼び出される。
（２０１）ポインタｑにＳｅｎｄＱｕｅの値を入れる。
（２０２）ポインタｑがＮＵＬＬならば送信するファイルがないので終了する。
（２０３）通信モジュールがインターネットに接続可能か調べる。接続できない場合は（２２４）でタイマーを設定して終了する。
（２０５）ＦＴＰオープンコマンドを送信する。設定されたアドレスにＩＤとパスワードを送る。
（２０６）アドレスがＮＯＴＦＯＵＮＤなら相手のカメラやサーバーがインターネットに接続できない状態なので何もしないで（２１４）へ行く。
（２１４）ポインタｑに次の構造体ＱｕｅＩｔｅｍのアドレスを入れる。
（２０７）ＩＤとＰＡＳＳＷＯＲＤが一致せずＤＥＮＩＥＤ拒否された場合は（２０７）へ。
（２０８）で現在の構造体ＱｕｅＩｔｅｍのポインタｑをｑ１に写し、ｑには次の構造体ＱｕｅＩｔｅｍへのポインタを入れる。
（２０９）ｑ１の指している構造体ＱｕｅＩｔｅｍをリストから削除する。送信先に拒絶されたら画像の送信を中止する。ここで撮影者に送信できない旨の警告をだしてもよい。
（２１０）アクセスが許可された場合、をｐｕｔコマンドを送信する。
（２１１）ｑ−＞ＦｉｌｅＮａｍｅのファイルをメモリから取得し、ファイルを送信する。
（２１２）ＦＴＰのｑｕｉｔコマンドを送信する。
（２１３）送信が無事終了したら、（２０８）へ行き送信済みの構造体ＱｕｅＩｔｅｍをキューから削除する。なにかエラーがあったらまだ送信されていないのでキューに構造体を残して（２１４）で次の構造体ＱｕｅＩｔｅｍへポインタを移す。
（２１５）ポインタｑがＮＵＬＬだったらキューの構造体ＱｕｅＩｔｅｍをすべて調べたので（２１６）へ、ＮＵＬＬでなければ（２０５）へいき、次の構造体ＱｕｅＩｔｅｍを処理する。
（２１４）ＳｅｎｄＱｕｅの値をしらべてＮＵＬＬだったら送信待ちがないので終了、ＮＵＬＬでなければ送信できなかったファイルがあるのでタイマー設定して終了する。
【００３１】
タイマー設定は、公知の時間遅延イベントで、設定されると所定の時間後に再度送信処理を呼び出す。
（２２０）タイマー処理開始。
（２２１）再度送信処理を呼び出す。
（２２２）終了。
【００３２】
このようにして、送信待ちのＳｅｎｄＱｕｅの待ちがなくなるまで一定時間ごとに送信処理を行うことになる。
【００３３】
したがってＳｅｎｄＱｕｅにいれられた図６にしめした送信待ち画像はすべて送信されるがＳｅｎｄＱｕｅに入らなかった送信期限ぎれの送信先Ｔｉｔｔｙには画像は送信されない。また、送信期限前に送信待ちに入った画像は、送信期限にかかわりなく送信可能になった時に送信されることになる。
【００３４】
図８で受信時の処理を説明する。
【００３５】
ほかのカメラからｆｔｐコマンドが投げられると、通信デバイス１４はＣＰＵ１０に通知し、ＣＰＵ１０は（３００）から受信処理を開始する。
（３０１）ｆｔｐコマンド受信。
（３０２）ポインタｐに送信元リストの値を入れる。
（３０３）ポインタｐがＮＵＬＬなら受信可能なＩＤはないので（３１２）でＤＥＮＩＥＤを返信し終了する。
（３０４）オープンコマンドで送られたＩＤがｐ−＞ＩＤと一致するか調べる。
（３０５）オープンコマンドで送られたパスワードＰＷがｐ−＞ｐａｓｓｗｏｒｄと一致するか調べる。
【００３６】
ＩＤとパスワードが一致したら（３０７）へ。
（３０６）ＩＤかパスワードが一致しないので次の構造体ＬｉｓｔＩｔｅｍへのポインタをポインタｐにいれ（３０３）に戻る。
【００３７】
すべてのＩＤとパスワードに一致しないと（３０３）で（３１２）へいきＤＥＮＩＥＤが返信される。
（３０７）送信待ち。相手のカメラの送信をまつ。
（３０８）プットコマンドがくるとファイルを受信する。
（３０９）受信が成功すると（３１０）へ失敗したら受信待ちへ戻る。
（３１０）受信したファイルの生成された時間と送信期限を比較する。送信期限後に生成されたファイルならなにもせず送信待ちへ。
（３１０）送信期限内のファイルはメモリ１１に保存する。ここで受信警告をしたり受信した画像を表示手段１２に表示することも可能である。その後受信待ちに戻る。
（３０７）受信待ちでｑｕｉｔコマンドが送信されると受信状態を終了する。
【００３８】
このようにして、送信期限後に撮影された画像は受信しないように構成することができた。
【００３９】
また、この画像送信では、ＴＣＰ／ＩＰ上のＦＴＰコマンドを用いて説明したがもちろんほかの方法、たとえば携帯電話のプロトコルなどを使用してもよい。また送信と受信は同一のＩＤ、パスワードを使用するように説明したがもちろん、異なるＩＤとパスワードを使用することも可能であり、また当然のことながら異なる送信期限と受信期限を設定することも可能である。
【００４０】
請求項１の撮影手段はレンズ４、ＣＣＤ５、画像処理システム６に相当し、通信手段は通信手段１４に相当し記憶手段はメモリ１２に相当し、送信先情報入力手段は入力手段１１と図３で説明した入力状態に相当し、配信手段は図５の１０５から１０９および図７の送信処理ルーチンに相当する。
【００４１】
請求項２の撮影手段はレンズ４、ＣＣＤ５、画像処理システム６に相当し、通信手段は通信手段１４に相当し記憶手段はメモリ１２に相当し、送信先情報入力手段は入力手段１１と図３で説明した入力状態に相当し、配信手段は図５の１０５から１０９および図７の送信処理ルーチンに相当する。さらに撮影された時刻が送信期限より前だった時のみ配信する配信手段は図５の１０５から１０６に相当する。
【００４２】
請求項３の撮影手段はレンズ４、ＣＣＤ５、画像処理システム６に相当し、通信手段は通信手段１４に相当し記憶手段はメモリ１２に相当し、送信先情報入力手段は入力手段１１と図３で説明した入力状態に相当し、配信手段は図５の１０５から１０９および図７の送信処理ルーチンに相当する。さらに撮影された時刻が送信期限より前だった時のみ配信する配信手段は図５の１０５から１０６に相当し、送信時送信路が確保できない場合、画像と送信先情報を記憶手段に記録し、送信路が確保できた時点で送信期限にかかわらず画像を送信する構成は図７の２０３から２０４および２１８から２２０に相当する。
【００４３】
請求項４の通信手段は通信手段１４に相当し記憶手段はメモリ１２に相当し、送信元情報入力手段は入力手段１１と図３で説明した入力状態に相当し、送信元のカメラから送られてきたＩＤやパスワードを判定し送信元情報が一致したときのみ受信した画像を記憶手段に保存する保存手段は図７の３０２から３０６に相当する。
【００４４】
請求項５の通信手段は通信手段１４に相当し記憶手段はメモリ１２に相当し、送信元情報入力手段は入力手段１１と図３で説明した入力状態に相当し、送信元のカメラから送られてきたＩＤやパスワードを判定し送信元情報が一致したときのみ受信した画像を記憶手段に保存する保存手段は図７の３０２から３０６に相当し、送信された画像の撮影時刻が送信期限以前だった場合のみ受信した画像を記憶手段に保存する構成は３１０から３１１に相当する。
【００４５】
請求項６の撮影手段はレンズ４、ＣＣＤ５、画像処理システム６に相当し、通信手段は通信手段１４に相当し記憶手段はメモリ１２に相当し、送信先情報入力手段は入力手段１１と図３で説明した入力状態に相当し、配信手段は図５の１０５から１０９および図７の送信処理ルーチンに相当する。さらに撮影された時刻が送信期限より前だった時のみ配信する配信手段は図５の１０５から１０６に相当し、送信時送信路が確保できない場合、画像と送信先情報を記憶手段に記録し、送信路が確保できた時点で送信期限にかかわらず画像を送信する構成は図７の２０３から２０４および２１８から２２０に相当し、送信元のカメラから送られてきたＩＤやパスワードを判定し送信元情報が一致したときのみ受信した画像を記憶手段に保存する保存手段は図７の３０２から３０６に相当し、送信された画像の撮影時刻が送信期限以前だった場合のみ受信した画像を記憶手段に保存する構成は３１０から３１１に相当する。
【００４６】
以上詳細に説明したように、請求項１記載のデジタルスチルカメラによれば、被写体の撮影手段と通信手段と画像や情報を記憶する記憶手段と画像の送信先のカメラやサーバーのアドレスやＩＤやパスワード等を入力し記憶手段に保存する送信先情報入力手段を持ち、被写体の撮影時に、撮影した画像を記憶手段に保存されている送信先のカメラやサーバーに通信手段を介して配信することで、撮影時に即時画像配信することが可能になった。
【００４７】
請求項２記載のデジタルスチルカメラによれば、被写体の撮影時に、撮影された時刻が送信期限より前だった時のみ、撮影した画像を記憶手段に保存されている送信先のカメラやサーバーに通信手段を介して配信することで、送信期限後の画像が不用意に配信することを防止することが可能になった。
【００４８】
請求項３記載のデジタルスチルカメラによれば、送信時送信路が確保できない場合、画像と送信先情報を記憶手段に記録し、送信路が確保できた時点で送信期限にかかわらず画像を送信することで撮影期限内に撮影した画像を、送進路が確保した時点で配信することが可能になった。
【００４９】
請求項４記載のデジタルスチルカメラによれば、通信手段と画像や情報を記憶する記憶手段と画像の送信元のカメラのアドレスやＩＤやパスワード等を入力し記憶手段に保存する送信元情報入力手段を持ち、送信元のカメラから送られてきたＩＤやパスワードを判定し送信元情報が一致したときのみ受信した画像を記憶手段に保存されていることで不特定のカメラからの画像が不用意に送信されることを防止することが可能になった。
【００５０】
請求項５記載のデジタルスチルカメラによれば、送信された画像の撮影時刻が送信期限以前だった場合のみ受信した画像を記憶手段に保存することで送信期限が過ぎた画像を受信することを防止することが可能になった。
【００５１】
請求項６記載のデジタルスチルカメラによれば、撮影された時刻が送信期限より前だった時のみ、撮影した画像を記憶手段に保存されている送信先のカメラやサーバーに通信手段を介して配信することで、送信期限後の画像が不用意に配信することを防止することが可能になり、また送信された画像の撮影時刻が送信期限以前だった場合のみ受信した画像を記憶手段に保存することで送信期限が過ぎた画像を受信することを防止することが可能になった。
【図面の簡単な説明】
【００５２】
【図１】カメラの接続状態を表す概念図
【図２】カメラの構成をあらわす回路図
【図３】表示画面の遷移図
【図４】送信先テーブル
【図５】撮影時のフローチャート
【図６】キューテーブル
【図７】送信待ち画像送信処理の詳細フローチャート
【図８】受信時の処理のフローチャート
【符号の説明】
【００５３】
１  送信側カメラ
２  受信側カメラ
３  画像サーバー
４  インターネット網
５  撮影レンズ
６  ＣＣＤ
７  ＡＤコンバータ
８  画像処理システム
９  バス
１０  ＣＰＵ
１１  入力手段
１２  表示手段
１３  メモリ
１４  通信デバイス
【図１】
2006246023.tif 000003
【図２】
2006246023.tif 000004
【図３】
2006246023.tif 000005
【図４】
2006246023.tif 000006
【図５】
2006246023.tif 000007
【図６】
2006246023.tif 000008
【図７】
2006246023.tif 000009
【図８】
2006246023.tif 000010